(57)【要約】本発明は、コンテンツを端末が受信できなくなる状況を予測する予測手段と、予測手段による予測に基づいて、前記端末が前記コンテンツを受信できなくなる前に、受信できなくなるコンテンツを予め配信する配信制御手段とを有することを特徴とするコンテンツ配信システムである。
2010110066.tif 000002
【特許請求の範囲】
【請求項１】
コンテンツを端末が受信できなくなる状況を予測する予測手段と、
前記予測手段による予測に基づいて、前記端末が前記コンテンツを受信できなくなる前に、前記受信できなくなるコンテンツを予め配信する配信制御手段と
を有することを特徴とするコンテンツ配信システム。
【請求項２】
前記配信制御手段は、配信するコンテンツのデータ量を、コンテンツが本来有するデータ量よりも少なくして配信する手段であることを特徴とする請求項１に記載のコンテンツ配信システム。
【請求項３】
コンテンツを配信するコンテンツ配信サーバが、前記予測手段を有することを特徴とする請求項１又は請求項２に記載のコンテンツ配信システム。
【請求項４】
コンテンツを受信する端末が、前記予測手段を有することを特徴とする請求項１又は請求項２に記載のコンテンツ配信システム。
【請求項５】
地理情報と前記地理のそれぞれの位置におけるネットワークの空き帯域の情報とが対応付けられて記憶されている位置別空き帯域情報提供手段と、
端末の位置を示す位置情報を提供する端末位置情報提供手段とを更に有し、
前記予測手段は、前記提供された端末位置情報と前記位置別空き帯域情報提供手段に記憶されている情報とを用いて、コンテンツを端末が受信できなくなる状況を予測することを特徴とする請求項１から請求項４のいずれかに記載のコンテンツ配信システム。
【請求項６】
地理情報と前記地理のそれぞれの位置におけるネットワークの空き帯域の情報とが対応付けられて記憶されている全体位置別空き帯域情報提供手段と、
端末の位置を示す位置情報を提供する端末位置情報提供手段と、
前記全体位置別空き帯域情報提供手段から、前記端末周辺のエリアに関わる情報が抽出されて記憶されている位置別空き帯域情報とを更に有し、
前記予測手段は、前記提供された端末位置情報と前記位置別空き帯域情報提供手段に記憶されている情報とを用いて、コンテンツを端末が受信できなくなる状況を予測することを特徴とする請求項１から請求項４のいずれかに記載のコンテンツ配信システム。
【請求項７】
コンテンツを端末が受信できなくなる状況の予測に基づいて、前記端末が前記コンテンツを受信できなくなる前に、前記受信できなくなるコンテンツを予め配信する配信制御手段を有することを特徴とするコンテンツ配信サーバ。
【請求項８】
前記配信制御手段は、配信するコンテンツのデータ量を、コンテンツが本来有するデータ量よりも少なくして配信する手段であることを特徴とする請求項７に記載のコンテンツ配信サーバ。
【請求項９】
地理情報と前記地理のそれぞれの位置におけるネットワークの空き帯域の情報とが対応付けられて記憶されている位置別空き帯域情報提供手段を更に備え、前記予測手段は、前記位置別空き帯域情報提供手段に記憶されている情報を用いて予測することを特徴とする請求項７又は請求項８に記載のコンテンツ配信サーバ。
【請求項１０】
コンテンツを端末が受信できなくなる状況の予測に基づいて、前記端末が前記コンテンツを受信できなくなる前に、前記受信できなくなるコンテンツを予め配信する配信制御ステップを有することを特徴とするコンテンツ配信方法。
【請求項１１】
前記配信制御ステップは、配信するコンテンツのデータ量を、コンテンツが本来有するデータ量よりも少なくして配信するステップであることを特徴とする請求項１０に記載のコンテンツ配信方法。
【請求項１２】
コンテンツを配信するコンテンツ配信サーバが、前記予測をすることを特徴とする請求項１０又は請求項１１に記載のコンテンツ配信方法。
【請求項１３】
コンテンツを受信する端末が、前記予測をすることを特徴とする請求項１０又は請求項１１に記載のコンテンツ配信方法。
【請求項１４】
前記予測は、端末の位置を示す位置情報と、地理情報と前記地理のそれぞれの位置におけるネットワークの空き帯域の情報とが対応付けられて記憶されている位置別空き帯域情報提供手段に記憶されている情報とを用いて、コンテンツを端末が受信できなくなる状況を予測することを特徴とする請求項１０から請求項１４のいずれかに記載のコンテンツ配信方法。
【請求項１５】
前記予測は、端末の位置を示す位置情報と、地理情報と前記地理のそれぞれの位置におけるネットワークの空き帯域の情報とが対応付けられて記憶されている全体位置別空き帯域情報提供手段に記憶されている情報から、前記端末の周辺のエリアに関わる情報が抽出されて記憶されている位置別空き帯域情報とを用いて、コンテンツを端末が受信できなくなる状況を予測することを特徴とする請求項１０から請求項１４のいずれかに記載のコンテンツ配信方法。
【請求項１６】
コンテンツを端末が受信できなくなる状況の予測に基づいて、前記端末が前記コンテンツを受信できなくなる前に、前記受信できなくなるコンテンツを予め配信する配信制御処理をコンピュータに実行させることを特徴とするコンテンツ配信プログラム。
【発明の詳細な説明】
【技術分野】
【０００１】
本発明は、携帯電話等の移動体にコンテンツを配信するコンテンツ配信システムに関する。
【背景技術】
【０００２】
携帯電話等の移動体通信においては、様々な原因で利用可能なネットワーク帯域が不安定となり、例えば、動画のような継続的かつ高スループットを要求されるコンテンツの再生時に、ネットワークが原因で再生が停止することがたびたび起こる。【０００３】
特許文献１には、移動体端末が電波の届かない場所に接近したと判断されると、再生しようとするコンテンツの再生速度が下げられる技術が開示されている。【０００４】
特許文献２には、以下のような技術が開示されている。まず、電波が届きにくい場所では、移動体端末は、通常のコンテンツ（放送）受信に代えて、移動体端末の外にある通信センターに、電波が届かない間の録画要求を出す。通信センターは録画要求に従って、コンテンツを録画する。移動体端末は、通信センターに録画されているコンテンツを受信する。
【先行技術文献】
【特許文献】
【０００５】
【特許文献１】特開２００７−３３６４７５号公報
【特許文献２】特開２００７−２８４７５号公報
【発明の概要】
【発明が解決しようとする課題】
【０００６】
特許文献１の技術は、視聴できるコンテンツの再生速度を低下させているため、不自然なコンテンツ視聴を強いられる。【０００７】
特許文献２の技術は、代わりの（通信センターからの）電波を受信できることが前提となっており、電波自体が通じにくい所では利用できない。【０００８】
そこで、本発明が解決しようとする課題は、上記課題を解決することである。すなわち、端末がコンテンツを受信できない状況、又は、端末が受信できるコンテンツが少ない状況においても、コンテンツの再生速度を低下させることなくコンテンツの視聴を継続できるコンテンツ配信システム、コンテンツ配信サーバ、コンテンツ配信方法およびプログラムを提供することにある。
【課題を解決するための手段】
【０００９】
上記課題を解決する本発明は、コンテンツを端末が受信できなくなる状況を予測する予測手段と、前記予測手段による予測に基づいて、前記端末が前記コンテンツを受信できなくなる前に、前記受信できなくなるコンテンツを予め配信する配信制御手段とを有することを特徴とするコンテンツ配信システムである。【００１０】
上記課題を解決する本発明は、コンテンツを端末が受信できなくなる状況の予測に基づいて、前記端末が前記コンテンツを受信できなくなる前に、前記受信できなくなるコンテンツを予め配信する配信制御ステップを有することを特徴とするコンテンツ配信方法である。【００１１】
上記課題を解決する本発明は、コンテンツを端末が受信できなくなる状況の予測に基づいて、前記端末が前記コンテンツを受信できなくなる前に、前記受信できなくなるコンテンツを予め配信する配信制御処理をコンピュータに実行させることを特徴とするコンテンツ配信プログラムである。
【発明の効果】
【００１２】
本発明は、端末がコンテンツを受信できない状況、または、端末が受信できるコンテンツが少ない状況においても、コンテンツの再生速度を低下させることなくコンテンツの視聴を継続することができる。
【図面の簡単な説明】
【００１３】
【図１】図１は本発明の実施の形態１の構成を示すブロック図である。
【図２】図２は本発明の実施の形態３の構成を示すブロック図である。
【図３】図３は本発明の実施の形態３のフローチャートである。
【図４】図４は本発明の実施の形態４の構成を示すブロック図である。
【図５】図５は本発明の実施の形態４のフローチャートである。
【図６】図６は本発明の実施の形態５の構成を示すブロック図である。
【図７】図７は本発明の実施の形態５のフローチャートである。
【図８】図８は本発明の実施の形態６の構成を示すブロック図である。
【図９】図９は本発明の実施の形態６のフローチャートである。
【図１０】図１０は本発明の実施の形態７の構成を示すブロック図である。
【図１１】図１１は本発明の実施の形態７のフローチャートである。
【発明を実施するための形態】
【００１４】
（実施の形態１）
図１は本発明の実施の形態１の構成を表すブロック図である。
【００１５】
図１に示されるように、本発明の実施の形態１のコンテンツ配信システムは、予測部１０２と、配信制御部１０３とを有する。
【００１６】
予測部１０２は、コンテンツを端末が受信できなくなる状況を予測する。
【００１７】
配信制御部１０３は、予測部１０２による予測に基づいて、端末がコンテンツを受信できなくなる前に、予め、該端末にコンテンツを配信する。
【００１８】
上述のように、本実施の形態では、コンテンツを端末が受信できなくなる状況の予測に基づいて、前記端末が前記コンテンツを受信できなくなる前に、前記受信できなくなるコンテンツを予め配信するように構成されている。
【００１９】
従って、端末がコンテンツを受信できない状況、又は、端末が受信できるコンテンツが少ない状況においても、コンテンツの再生速度を低下させることなくコンテンツの視聴を継続することができる。
【００２０】
（実施の形態２）
本実施の形態では、実施の形態１に加え、配信制御部１０３が、配信するコンテンツのデータ量を、コンテンツが本来有するデータ量よりも少なくして（間引いて）配信する場合を用いて説明する。
【００２１】
配信制御部１０３は、予測部１０２による予測に基づいて、端末がコンテンツを受信できなくなる、又は、端末が受信できるコンテンツが現在より少なくなると推定される時間（推定悪化時間）においても、コンテンツが途切れずに再生し続けられるような配信コンテンツ長となるようにコンテンツの画質と音質を制御し、これを配信する。
【００２２】
上述のように、本実施の形態では、配信するコンテンツのデータ量を、コンテンツが本来有するデータ量よりも少なくして配信するように構成されている。
【００２３】
従って、端末にコンテンツを配信する際に、ネットワーク帯域を不意に増加させることなく、コンテンツを配信することができる。
【００２４】
（実施の形態３）
図２は本発明の実施の形態３の構成を表すブロック図である。
【００２５】
図２に示されるように、本発明の実施の形態３のコンテンツ配信システムは、位置別空き帯域情報提供部１０１と、予測部１０２と、配信制御部１０３とを有する。
【００２６】
位置別空き帯域情報提供部１０１には、地理情報と、該地理のそれぞれの位置におけるネットワークの空き帯域情報とが対応付けられて記憶されている。尚、ネットワークの利用状況は刻々と変わるため、位置別空き帯域情報提供部１０１に記憶されている地理情報のそれぞれの位置におけるネットワークの空き帯域情報は、ある程度の時間間隔をおいて高い頻度で更新されることが望ましい。また、空き帯域情報が０の場合は、端末がコンテンツを受信できない状況、１の場合は、端末がコンテンツを受信できる状況としても良いし、空き帯域情報に所定の値以下の値が記憶されている場合は、端末がコンテンツを受信できない状況、又は、端末が受信できるコンテンツが少ない状況としても良い。
【００２７】
予測部１０２は、位置別空き帯域情報提供部１０１を参照し、移動体端末の位置を示す位置情報に基づいて、該移動体端末が今後の一定時間内に通過すると予測される地理上の、どの位置でどの帯域を利用できるか（利用可能帯域情報）、及び、利用可能な時間（継続時間）を予測する。
【００２８】
配信制御部１０３は、予測部１０２から、予測された利用可能帯域情報と継続時間とを受信すると、該移動体端末で、端末がコンテンツを受信できない状況、又は、端末が受信できるコンテンツが現在より少なくなると推定される時間（推定悪化時間）においても、コンテンツが途切れずに再生し続けられるような配信コンテンツ長となるようにコンテンツの画質と音質を制御（例えば、データ量を間引く等）し、これを配信する。
【００２９】
尚、予測部１０２は、コンテンツ配信サーバが有する構成にしても良いし、移動体端末が有する構成にしても良い。
【００３０】
また、推定悪化時間は、予測部１０２が算出するように構成にしても良いし、別の装置によって算出された値を予測部１０２が受信するようにしても良い。
【００３１】
続いて、本実施の形態の動作について、図３を用いて説明する。
【００３２】
動作が開始されると、予測部１０２は、コンテンツを受信する移動体端末の位置を示す位置情報を受信する（Ｓ２０１）。
【００３３】
続いて、予測部１０２は、位置別空き帯域情報提供部１０１を参照し、受信した位置情報を用いて、該移動体端末がこれから通過する地理を予測し、今後予測される、該移動体端末の利用可能な帯域情報と継続時間とを予測する（Ｓ２０２）。
【００３４】
配信制御部１０３は、予測部１０２によって予測された利用可能帯域情報と継続時間とを受信する。続いて、配信制御部１０３は、利用可能帯域情報と、継続時間と、推定悪化時間を算出する悪化時間推定部（図示せず）から受信した推定悪化時間とに基づいて、該移動体端末でコンテンツが途切れずに再生し続けられるような配信コンテンツ長になるように、コンテンツの画質と音質を制御（例えば、データ量を間引く等）し、これを配信する（Ｓ２０３）。
【００３５】
（実施の形態４）
図４は本発明の実施の形態４の構成を表すブロック図である。
【００３６】
図４に示されるように、本発明の実施の形態４に係るコンテンツ配信システムは、コンテンツ配信サーバ１０と移動体端末２０とを有する。
【００３７】
コンテンツ配信サーバ１０は、端末位置情報取得部１０４と、予測部１０２と、位置別空き帯域情報提供部１０１と、配信制御部１０３とを有する。
【００３８】
移動体端末２０は端末位置情報提供部２０１とデコーダ２０２とを有する。
【００３９】
移動体端末２０と、コンテンツ配信サーバ１０とは、通信路３０又は通信路３１を介して、通信される。
【００４０】
端末位置情報取得部１０４は、端末位置情報提供部２０１から、移動体端末２０の位置を示す位置情報を受け取り、予測部１０２に送信する。
【００４１】
端末位置情報提供部２０１は、通信路３０を経由して、端末位置情報取得部１０４に移動体端末２０の位置情報を送信する。尚、本実施の形態では、端末位置情報提供部２０１を、移動体端末２０が有する構成を用いて説明するが、これに限らない。端末位置情報提供部２０１は、移動体端末２０の位置が特定できれば良く、移動体端末２０の外部にあっても良い。例えば、通信路３０に接続される別の装置上にあっても良い。
【００４２】
デコーダ２０２は、配信制御部１０３によって配信されたコンテンツをデコードし、再生する。
【００４３】
位置別空き帯域情報提供部１０１には、地理的情報（例えば緯度・経度で表される地図情報等）と、該地理の中の利用可能な帯域の分布情報（例えば中心の緯度、経度、半径、利用可能帯域量の組で表される円の分布情報等）とが記憶されている。また、位置別空き帯域情報提供部１０１には、コンテンツ配信サーバ１０に接続する他の移動体端末を含む各端末の位置情報と各端末の利用中の帯域情報とが記憶されているようにしても良い。この場合、予測部１０２は、移動体端末２０の現在の位置情報と過去の位置情報（位置別空き帯域情報提供部１０１に記憶されているものとする）とから、移動体端末２０の移動方向と移動速度とを求めることができる。更に、移動体端末２０が、今後の一定時間内に通過すると予測される地理上のどの位置でどの帯域を利用可能か、いつ利用不可能になるか、あるいは、どのぐらいの間、端末がコンテンツを受信できない、又は、端末が受信できるコンテンツが現在より少なくなるか（推定悪化時間）を予測するようにしても良い。尚、空き帯域情報が０の場合は、端末がコンテンツを受信できない状況、１の場合は、端末がコンテンツを受信できる状況としても良いし、空き帯域情報に所定の値以下の値が記憶されている場合は、端末がコンテンツを受信できない状況、又は、端末が受信できるコンテンツが少ない状況としても良い。
【００４４】
さらに、ここで得られた、どの位置でどの帯域を利用可能か、いつ利用不可能になるか、あるいは、推定悪化時間といった情報に基づいて、配信制御部１０３は、コンテンツを制御する量を調整するようにしても良い。
【００４５】
その他の構成要素については、実施の形態３と同様であるため、説明は省略される。
【００４６】
続いて、本実施の形態の動作について、図５を用いて説明する。尚、本実施の形態では、予測部１０２が、コンテンツを受信する移動体端末の、今後予測される利用可能帯域情報と継続時間とに加え、推定悪化時間とを算出する構成を用いて説明する。
【００４７】
動作が開始されると、端末位置情報提供部２０１は、通信路３０を経由して端末位置情報取得部１０４に移動体端末２０の位置を示す位置情報を送信する（Ｓ４０１）。
【００４８】
端末位置情報取得部１０４は、移動体端末２０の位置情報を受信すると、予測部１０２に移動体端末２０の位置情報を送信する（Ｓ４０２）。
【００４９】
予測部１０２は、位置別空き帯域情報提供部１０１を参照し、受信した位置情報を用いて、該移動体端末の移動速度と移動方向とを算出する（Ｓ４０３）。
【００５０】
続いて、予測部１０２は、算出された移動速度と移動方向とを用いて、該移動体端末がこれから通過する地理を予測する（Ｓ４０４）。
【００５１】
続いて、予測部１０２は、今後予測される、該移動体端末の利用可能な帯域情報である利用可能帯域情報と、継続時間と、推定悪化時間とを予測する（Ｓ４０５）。
【００５２】
続いて、予測部１０２は、Ｓ４０５で予測された利用可能帯域情報と継続時間と推定悪化時間とを配信制御部１０３に送信する（Ｓ４０６）。
【００５３】
配信制御部１０３は、予測部１０２から受信した利用可能帯域情報と継続時間と推定悪化時間とに基づいて、デコーダ２０２でコンテンツが途切れずに再生し続けられるような配信コンテンツ長となるようにコンテンツの画質と音質を制御し、これを配信する（Ｓ４０７）。例えば、帯域が利用不可能な状態になるのが、１分後から５分後までの４分間であることが予測される場合、配信制御部１０３は、現在から、帯域が利用不可能な状態になるまでの約１分の間、現在から１分後までに利用可能なネットワーク帯域の平均ビットレートを算出する。続いて、配信制御部１０３は、配信しようとするコンテンツを、算出された平均ビットレートの５分の１の平均ビットレートのコンテンツに変換して配信する。
【００５４】
配信制御部１０３は、Ｓ４０７で制御したコンテンツを移動体端末２０に配信する（Ｓ４０８）。
【００５５】
続いて、配信制御部１０３は、位置別空き帯域情報提供部１０１に制御後の利用帯域をフィードバックし、位置別空き帯域情報提供部１０１を更新する（Ｓ４０９）。
【００５６】
デコーダ２０２は配信されたコンテンツをデコードし、再生する（Ｓ４１０）。
【００５７】
尚、本実施の形態では、予測部１０２が、利用不可能な時間を予測する構成を用いて説明したが、他の装置によって予測された結果を配信制御部１０３が受信するようにしても良い。
【００５８】
（実施の形態５）
図６は本発明の実施の形態５の構成を表すブロック図である。
【００５９】
図６に示されるように、本発明の実施の形態５に係るコンテンツ配信システムは、コンテンツ配信サーバ１０と移動体端末２０とを有する。
【００６０】
コンテンツ配信サーバ１０は、端末位置・予測情報取得部１０５と、全体位置別空き帯域情報提供部１０６と、配信制御部１０３とを有する。
【００６１】
移動体端末２０は、端末位置情報取得部２０３と、予測部２０４と、位置別空き帯域情報提供部２０５と、端末位置・予測情報提供部２０６と、デコーダ２０２とを有する。
【００６２】
移動体端末２０と、コンテンツ配信サーバ１０とは、通信路３０、通信路３１、又は通信路３２を介して、通信される。
【００６３】
端末位置・予測情報取得部１０５は、端末位置・予測情報提供部２０６から、移動体端末２０の位置情報と、利用可能帯域情報とを取得する。
【００６４】
全体位置別空き帯域情報提供部１０６は、地理情報と、該地理のそれぞれの位置におけるネットワークの空き帯域の情報とが対応付けられて記憶されている。尚、全体位置別空き帯域情報提供部１０６の内部構成は、実施の形態３で説明した、位置別空き帯域情報提供部１０１の内部構成と同様の構成を用いても良い。また、空き帯域情報が０の場合は、端末がコンテンツを受信できない状況、１の場合は、端末がコンテンツを受信できる状況としても良いし、空き帯域情報に所定の値以下の値が記憶されている場合は、端末がコンテンツを受信できない状況、又は、端末が受信できるコンテンツが少ない状況としても良い。
【００６５】
端末位置情報取得部２０３は、自端末（移動体端末２０）の位置を示す位置情報を取得し、予測部２０４に送信する。
【００６６】
予測部２０４は、位置別空き帯域情報提供部２０５を参照し、受信した位置情報を用いて、移動体端末２０がこれから通過する地理を予測し、今後予測される、移動体端末２０の利用可能な帯域情報と継続時間とを予測する。
【００６７】
位置別空き帯域情報提供部２０５には、全体位置別空き帯域情報提供部１０６に記憶されている情報のうち、移動体端末２０の周辺エリアの情報が記憶されている。尚、位置別空き帯域情報提供部２０５が全体位置別空き帯域情報提供部１０６から移動体端末２０の周辺エリアの情報をもらうタイミングは、ネットワークの利用状況は刻々と変わるため、ある程度の時間間隔をおいて高い頻度で行われることが望ましい。また、例えば、コンテンツ配信サーバ１０に処理負荷を集中させないため、コンテンツ配信サーバ１０から各移動体端末への位置別空き帯域情報の更新連絡には同報通信機能を利用しても良い。
【００６８】
端末位置・予測情報提供部２０６は、端末位置・予測情報取得部１０５に、移動体端末２０の位置情報と、算出された利用可能帯域情報とを送信する。
【００６９】
その他の構成要素については、上述の実施の形態と同様であるため、説明は省略される。
【００７０】
続いて、本実施の形態の動作について、図７を用いて説明する。
【００７１】
本実施の形態では、位置別空き帯域情報提供部２０５は、適宜、全体位置別空き帯域情報提供部１０６から移動体端末２０の周辺エリアの帯域利用情報を通信路３２を経由して取得しているものとして説明する。
【００７２】
また、本実施の形態では、配信制御部１０３が、悪化時間推定部（図示せず）によって推定された推定悪化時間を受信する構成を用いて説明する。
【００７３】
端末位置情報取得部２０３は移動体端末２０の位置を示す位置情報を取得する（Ｓ６０１）。
【００７４】
続いて、端末位置情報取得部２０３は、取得した位置情報を、予測部２０４に送信する（Ｓ６０２）。
【００７５】
予測部２０４は、位置別空き帯域情報提供部２０５を参照し、今後予測される、移動体端末２０が利用可能な帯域情報とその継続時間を予測する（Ｓ６０３）。
【００７６】
予測部２０４は、端末位置・予測情報提供部２０６に、予測した利用可能帯域情報、継続時間、および位置情報を送信する（Ｓ６０４）。
【００７７】
端末位置・予測情報提供部２０６は、利用可能帯域情報と継続時間、および位置情報を、端末位置・予測情報取得部１０５に送信する（Ｓ６０５）。
【００７８】
端末位置・予測情報取得部１０５は、受信した利用可能帯域情報と継続時間とを配信制御部１０３に送信する（Ｓ６０６）。
【００７９】
端末位置・予測情報取得部１０５は、受信した移動体端末２０の位置情報を全体位置別空き帯域情報提供部１０６にフィードバックし、全体位置別空き帯域情報提供部１０６を更新する（Ｓ６０７）。
【００８０】
配信制御部１０３は、端末位置・予測情報取得部１０５から受信した利用可能帯域情報と継続時間と、悪化時間推定部（図示せず）から受信した悪化時間とに基づいて、該移動体端末でコンテンツが途切れずに再生し続けられるような配信コンテンツ長となるようにコンテンツの画質・音質を制御（例えば、データ量を間引く等）し、これを配信する（Ｓ６０８）。
【００８１】
配信制御部１０３は、制御後のコンテンツを移動体端末２０に配信する（Ｓ６０９）。
【００８２】
配信制御部１０３は、全体位置別空き帯域情報提供部１０６に制御後の利用帯域をフィードバックし、全体位置別空き帯域情報提供部１０６を更新する（Ｓ６１０）。
【００８３】
デコーダ２０２は、配信されたコンテンツをデコードし、再生する（Ｓ６１１）。
【００８４】
（実施の形態６）
図８は、本発明の実施の形態６の構成を表すブロック図である。
【００８５】
ＶｏＤ（Ｖｉｄｅｏ  ｏｎ  Ｄｅｍａｎｄ）サーバ５０は、端末位置情報取得モジュール５０４と、予測モジュール５０２と、空き帯域−地図対応データベース５０１と、映像ビットレート変動配信モジュール５０３と、Ｈ．２６４／ＡＶＣファイル５１３（＝配信するコンテンツ）とを有する。
【００８６】
携帯電話端末６０は、ＧＰＳ位置情報提供モジュール６０１と、Ｈ．２６４／ＡＶＣデコーダ６０２とを有する。
【００８７】
携帯電話端末６０と、ＶｏＤサーバ５０とは、通信路７０、又は、通信路７１を介して通信される。
【００８８】
空き帯域−地図対応データベース５０１には、地理情報と、該地理のそれぞれの位置におけるネットワークの空き帯域情報とが対応付けられて記憶されている。尚、ネットワークの利用状況は刻々と変わるため、空き帯域−地図対応データベース５０１に記憶されている地理情報のそれぞれの位置におけるネットワークの空き帯域情報は、ある程度の時間間隔をおいて高い頻度で更新されることが望ましい。また、空き帯域情報が０の場合は、端末がコンテンツを受信できない状況、１の場合は、端末がコンテンツを受信できる状況としても良いし、空き帯域情報に所定の値以下の値が記憶されている場合は、端末がコンテンツを受信できない状況、又は、端末が受信できるコンテンツが少ない状況としても良い。
【００８９】
予測モジュール５０２は、空き帯域−地図対応データベース５０１を参照し、携帯電話端末６０の現在の位置情報に基づいて、携帯電話端末６０が今後の一定時間内に通過すると予測される地理上の、どの位置でどの帯域を利用できるか（利用可能帯域情報）、及び、利用可能な時間（継続時間）を予測する。
【００９０】
映像ビットレート変動配信モジュール５０３は、予測モジュール５０２から、予測された利用可能帯域情報と継続時間とを受け取ると、携帯電話端末６０で、端末がコンテンツを受信できない、又は、端末が受信できるコンテンツが現在よりも少なくなると推定される時間（推定悪化時間）においても、コンテンツが途切れずに再生し続けられるような配信コンテンツ長となるようにコンテンツの画質と音質を制御（例えば、データ量を間引く等）し、これを配信する。
【００９１】
尚、予測モジュール５０２は、ＶｏＤサーバ５０が有する構成にしても良いし、携帯電話端末６０が有する構成にしても良い。
【００９２】
また、推定悪化時間は、予測モジュール５０２が算出するように構成にしても良いし、別の装置によって算出された値を、映像ビットレート変動配信モジュール５０３が受信するようにしても良い。
【００９３】
端末位置情報取得モジュール５０４は、ＧＰＳ位置情報提供モジュール６０１から、携帯電話端末６０の位置情報を受け取り、予測モジュール５０２に送信する。
【００９４】
ＧＰＳ位置情報提供モジュール６０１は、通信路７０を経由して、端末位置情報取得モジュール５０４に携帯電話端末６０の位置情報を送信する。尚、本実施の形態では、端末位置情報取得モジュール５０４を、携帯電話端末６０が有する構成を用いて説明するが、これに限らない。端末位置情報取得モジュール５０４は、携帯電話端末６０の位置が特定できれば良く、携帯電話端末６０の外部にあっても良い。例えば、通信路７０に接続される別の装置上にあっても良い。
【００９５】
Ｈ．２６４／ＡＶＣデコーダ６０２は、映像ビットレート変動配信モジュール５０３によって配信されたコンテンツをデコードし、再生する。
【００９６】
尚、Ｈ．２６４／ＡＶＣファイル５１３はＶｏＤサーバ５０内のストレージに格納されていても良いし、ＶｏＤサーバ５０の外部のストレージやカメラからの入力であっても良い。
【００９７】
空き帯域−地図対応データベース５０１には、地理的情報（例えば、緯度・経度で表される地図情報等）と、該地理の中の利用可能な帯域の分布情報（例えば、中心の緯度、経度、半径、利用可能帯域量の組で表される円の分布情報等）とが記憶されている。また、空き帯域−地図対応データベース５０１には、ＶｏＤサーバ５０に接続する他の移動体端末を含む、各端末の位置情報と各端末の利用中の帯域情報とが記憶されているようにしても良い。この場合、予測モジュール５０２は、携帯電話端末６０の現在の位置情報と携帯電話端末６０の過去の位置情報（空き帯域−地図対応データベース５０１にて記憶されているものとする）とから、携帯電話端末６０の移動方向と移動速度とを求めることができる。続いて、携帯電話端末６０が、今後の一定時間内に携帯電話端末６０が通過すると予測される地理上のどの位置でどの帯域を利用可能か、いつ利用不可能になるか、あるいは、どのぐらいの間、端末がコンテンツを受信できない、又は、端末が受信できるコンテンツが現在より少なくなるか（推定悪化時間）を予測するようにしても良い。尚、空き帯域情報が０の場合は、端末がコンテンツを受信できない状況、１の場合は、端末がコンテンツを受信できる状況としても良いし、空き帯域情報に所定の値以下の値が記憶されている場合は、端末がコンテンツを受信できない状況、又は、端末が受信できるコンテンツが少ない状況としても良い。
【００９８】
さらに、ここで得られた、どの位置でどの帯域を利用可能か、いつ利用不可能になるか、あるいは推定悪化時間といった情報に基づいて、映像ビットレート変動配信モジュール５０３は、コンテンツを制御する量を調整するようにしても良い。
【００９９】
続いて、本実施の形態の動作について、図９を用いて説明する。
【０１００】
尚、本実施の形態では、映像ビットレート変動配信モジュール５０３が、悪化時間推定部（図示せず）によって推定された推定悪化時間を受信する構成を用いて説明する。
【０１０１】
ＧＰＳ位置情報提供モジュール６０１は、携帯電話端末６０の位置を示す位置情報を取得する（Ｓ８０１）。
【０１０２】
続いて、ＧＰＳ位置情報提供モジュール６０１は、通信路７０を経由して端末位置情報取得モジュール５０４に、携帯電話端末６０の位置情報を送信する（Ｓ８０２）。
【０１０３】
端末位置情報取得モジュール５０４は、受信した位置情報を、予測モジュール５０２に送信する（Ｓ８０３）。
【０１０４】
予測モジュール５０２は、空き帯域−地図対応データベース５０１を参照し、位置情報を用いて、携帯電話端末６０の向かっている方向と移動速度とを算出する（Ｓ８０４）。
【０１０５】
続いて、予測モジュール５０２は、携帯電話端末６０がこれから通過すると予測される経路上にある地理上における利用可能帯域とその継続時間を予測する（Ｓ８０５）。
【０１０６】
予測モジュール５０２は、映像ビットレート変動配信モジュール５０３に、予測された利用可能帯域情報と継続時間を送信する（Ｓ８０６）。
【０１０７】
映像ビットレート変動配信モジュール５０３は、予測モジュール５０２から受信した利用可能帯域情報と継続時間と、悪化時間推定部（図示せず）から受信した悪化時間とに基づいて、Ｈ．２６４／ＡＶＣデコーダ６０２でデコードし続けられるような配信コンテンツ長となるようにＨ．２６４／ＡＶＣファイル５１３をトランスコードする（Ｓ８０７）。例えば、帯域が利用不可能な状態になるのが、１分後から５分後までの４分間であることが予測される場合、現在から、帯域が利用不可能な状態になるまでの約１分の間、現在から１分後までに利用可能なネットワーク帯域の平均ビットレートを算出する。続いて、映像ビットレート変動配信モジュール５０３は、配信しようとするコンテンツを、算出された平均ビットレートの５分の１の平均ビットレートの映像に変換して配信する。
【０１０８】
映像ビットレート変動配信モジュール５０３は、トランスコードしたコンテンツを、Ｈ．２６４／ＡＶＣデコーダ６０２に配信する（Ｓ８０８）。
【０１０９】
続いて、映像ビットレート変動配信モジュール５０３は、空き帯域−地図対応データベース５０１に配信中の利用帯域をフィードバックし、空き帯域−地図対応データベース５０１を更新する（Ｓ８０９）。
【０１１０】
Ｈ．２６４／ＡＶＣデコーダ６０２は配信されたＨ．２６４／ＡＶＣストリームをデコードし、再生する（Ｓ８１０）。
【０１１１】
（実施の形態７）
図１０は、本発明の実施の形態７の構成を表すブロック図である。
【０１１２】
ＶｏＤサーバ５０は、端末位置・予測情報取得モジュール５０５と、全体空き帯域−地図対応データベース５０６と、映像ビットレート変動配信モジュール５０３と、Ｈ．２６４／ＡＶＣファイル５１３（＝配信するコンテンツ）とを有する。
【０１１３】
携帯電話端末６０は、ＧＰＳ位置情報提供モジュール６０１と、予測モジュール６０４と、空き帯域−地図対応データベース６０５と、端末位置・予測情報提供モジュール６０６とＨ．２６４／ＡＶＣデコーダ６０２とを有する。
【０１１４】
携帯電話端末６０と、ＶｏＤサーバ５０とは、通信路７０、通信路７１、又は、通信路７２を経由して通信する。
【０１１５】
端末位置・予測情報取得モジュール５０５は、端末位置・予測情報提供モジュール６０６から、携帯電話端末６０の位置情報と、利用可能帯域情報とを取得する。
【０１１６】
全体空き帯域−地図対応データベース５０６は、地理情報と、該地理のそれぞれの位置におけるネットワークの空き帯域の情報とが対応付けられて記憶されている。尚、全体空き帯域−地図対応データベース５０６の内部構成は、実施の形態６で説明した、空き帯域−地図対応データベース５０１の内部構成と同様の構成を用いても良い。また、空き帯域情報が０の場合は、端末がコンテンツを受信できない状況、１の場合は、端末がコンテンツを受信できる状況としても良いし、空き帯域情報に所定の値以下の値が記憶されている場合は、端末がコンテンツを受信できない状況、又は、端末が受信できるコンテンツが少ない状況としても良い。
【０１１７】
予測モジュール６０４は、空き帯域−地図対応データベース６０５を参照し、受信した位置情報を用いて、携帯電話端末６０がこれから通過する地理を予測し、今後予測される、携帯電話端末６０の利用可能な帯域情報と継続時間とを予測する。
【０１１８】
空き帯域−地図対応データベース６０５には、全体空き帯域−地図対応データベース５０６に記憶されている情報のうち、携帯電話端末６０の周辺エリアの情報が記憶されている。尚、空き帯域−地図対応データベース６０５が全体空き帯域−地図対応データベース５０６から携帯電話端末６０の周辺エリアの情報をもらうタイミングは、ネットワークの利用状況は刻々と変わるため、ある程度の時間間隔をおいて高い頻度で行われることが望ましい。また、例えば、ＶｏＤサーバ５０に処理負荷を集中させないため、ＶｏＤサーバ５０から各移動体端末への空き帯域情報の更新連絡には同報通信機能を利用しても良い。
【０１１９】
端末位置・予測情報提供モジュール６０６は、端末位置・予測情報取得モジュール５０５に、携帯電話端末６０の位置情報と、算出された利用可能帯域情報とを送信する。
【０１２０】
尚、Ｈ．２６４／ＡＶＣファイル５１３はＶｏＤサーバ５０内のストレージに格納されていても良いし、ＶｏＤサーバ５０の外部のストレージやカメラからの入力であっても良い。
【０１２１】
その他の構成要素については、上述の実施の形態と同様であるため、説明は省略される。
【０１２２】
続いて、本実施の形態の動作について、図１１を用いて説明する。
【０１２３】
本実施の形態では、空き帯域−地図対応データベース６０５は、適宜、全体空き帯域−地図対応データベース５０６から携帯電話端末６０の周辺エリアの帯域利用情報を通信路７２を経由して取得しているものとして説明する。
【０１２４】
また、本実施の形態では、映像ビットレート変動配信モジュール５０３が、悪化時間推定部（図示せず）によって推定された推定悪化時間を受信する構成を用いて説明する。
【０１２５】
ＧＰＳ位置情報提供モジュール６０１は、携帯電話端末６０の位置情報を予測モジュール６０４に送信する（Ｓ１００１）。
【０１２６】
予測モジュール６０４は、空き帯域−地図対応データベース６０５を参照し、今後予測される、携帯電話端末６０が利用可能な帯域情報とその継続時間を予測する（Ｓ１００２）。
【０１２７】
予測モジュール６０４は端末位置・予測情報提供モジュール６０６に、予測された利用可能帯域情報と継続時間、および位置情報を送信する（Ｓ１００３）。
【０１２８】
端末位置・予測情報提供モジュール６０６は端末位置・予測情報取得モジュール５０５に、受信した利用可能帯域情報と継続時間、および位置情報を送信する（Ｓ１００４）。
【０１２９】
端末位置・予測情報取得モジュール５０５は、受信した利用可能帯域情報と継続時間とを、映像ビットレート変動配信モジュール５０３に送信する（Ｓ１００５）。
【０１３０】
端末位置・予測情報取得モジュール５０５は、受信した携帯電話端末６０の位置情報を全体空き帯域−地図対応データベース５０６にフィードバックし、全体空き帯域−地図対応データベース５０６を更新する（Ｓ１００６）。
【０１３１】
映像ビットレート変動配信モジュール５０３は、端末位置・予測情報取得モジュール５０５から受信した利用可能帯域情報と継続時間と、悪化時間推定部（図示せず）から受信した悪化時間とに基づいて、Ｈ．２６４／ＡＶＣデコーダ６０２でデコードし続けられるような配信コンテンツ長となるようにＨ．２６４／ＡＶＣファイル５１３をトランスコードする（Ｓ１００７）。
【０１３２】
映像ビットレート変動配信モジュール５０３は、トランスコードしたコンテンツを携帯電話端末６０に配信する（Ｓ１００８）。
【０１３３】
映像ビットレート変動配信モジュール５０３は、全体空き帯域−地図対応データベース５０６に配信中の利用帯域をフィードバックし、全体空き帯域−地図対応データベース５０６を更新する（Ｓ１００９）。
【０１３４】
Ｈ．２６４／ＡＶＣデコーダ６０２は配信されたＨ．２６４／ＡＶＣストリームをデコードし、再生する（Ｓ１０１０）。
【０１３５】
全体空き帯域−地図対応データベース５０６の内部構成は、空き帯域−地図対応データベース５０１と同様の構成でも良い。
【０１３６】
上述のように、コンテンツを端末が受信できなくなる状況の予測に基づいて、前記端末が前記コンテンツを受信できなくなる前に、前記受信できなくなるコンテンツを予め配信するように構成されている。
【０１３７】
従って、本発明におけるコンテンツ配信システムは、端末がコンテンツを受信できない状況、又は、端末が受信できるコンテンツが少ない状況においても、コンテンツの再生速度を低下させることなくコンテンツの視聴を継続することができる。
【０１３８】
尚、上述した実施の形態では、各部をハードウェアで構成したが、各部と同様な動作をＣＰＵ等に実行させるプログラムによっても構成できる。
【０１３９】
上記の実施形態の一部又は全部は、以下の付記のようにも記載されうるが、以下には限られない。
【０１４０】
（付記１）  コンテンツを端末が受信できなくなる状況を予測する予測手段と、
前記予測手段による予測に基づいて、前記端末が前記コンテンツを受信できなくなる前に、前記受信できなくなるコンテンツを予め配信する配信制御手段と
を有することを特徴とするコンテンツ配信システム。
【０１４１】
（付記２）  前記配信制御手段は、配信するコンテンツのデータ量を、コンテンツが本来有するデータ量よりも少なくして配信する手段であることを特徴とする付記１に記載のコンテンツ配信システム。
【０１４２】
（付記３）  コンテンツを配信するコンテンツ配信サーバが、前記予測手段を有することを特徴とする付記１又は付記２に記載のコンテンツ配信システム。
【０１４３】
（付記４）  コンテンツを受信する端末が、前記予測手段を有することを特徴とする付記１又は付記２に記載のコンテンツ配信システム。
【０１４４】
（付記５）  地理情報と前記地理のそれぞれの位置におけるネットワークの空き帯域の情報とが対応付けられて記憶されている位置別空き帯域情報提供手段と、
端末の位置を示す位置情報を提供する端末位置情報提供手段とを更に有し、
前記予測手段は、前記提供された端末位置情報と前記位置別空き帯域情報提供手段に記憶されている情報とを用いて、コンテンツを端末が受信できなくなる状況を予測することを特徴とする付記１から付記４のいずれかに記載のコンテンツ配信システム。
【０１４５】
（付記６）  地理情報と前記地理のそれぞれの位置におけるネットワークの空き帯域の情報とが対応付けられて記憶されている全体位置別空き帯域情報提供手段と、
端末の位置を示す位置情報を提供する端末位置情報提供手段と、
前記全体位置別空き帯域情報提供手段から、前記端末周辺のエリアに関わる情報が抽出されて記憶されている位置別空き帯域情報とを更に有し、
前記予測手段は、前記提供された端末位置情報と前記位置別空き帯域情報提供手段に記憶されている情報とを用いて、コンテンツを端末が受信できなくなる状況を予測することを特徴とする付記１から付記４のいずれかに記載のコンテンツ配信システム。
【０１４６】
（付記７）  コンテンツを端末が受信できなくなる状況の予測に基づいて、前記端末が前記コンテンツを受信できなくなる前に、前記受信できなくなるコンテンツを予め配信する配信制御手段を有することを特徴とするコンテンツ配信サーバ。
【０１４７】
（付記８）  前記配信制御手段は、配信するコンテンツのデータ量を、コンテンツが本来有するデータ量よりも少なくして配信する手段であることを特徴とする付記７に記載のコンテンツ配信サーバ。
【０１４８】
（付記９）  地理情報と前記地理のそれぞれの位置におけるネットワークの空き帯域の情報とが対応付けられて記憶されている位置別空き帯域情報提供手段を更に備え、前記予測手段は、前記位置別空き帯域情報提供手段に記憶されている情報を用いて予測することを特徴とする付記７又は付記８に記載のコンテンツ配信サーバ。
【０１４９】
（付記１０）  コンテンツを端末が受信できなくなる状況の予測に基づいて、前記端末が前記コンテンツを受信できなくなる前に、前記受信できなくなるコンテンツを予め配信する配信制御ステップを有することを特徴とするコンテンツ配信方法。
【０１５０】
（付記１１）  前記配信制御ステップは、配信するコンテンツのデータ量を、コンテンツが本来有するデータ量よりも少なくして配信するステップであることを特徴とする付記１０に記載のコンテンツ配信方法。
【０１５１】
（付記１２）  コンテンツを配信するコンテンツ配信サーバが、前記予測をすることを特徴とする付記１０又は付記１１に記載のコンテンツ配信方法。
【０１５２】
（付記１３）  コンテンツを受信する端末が、前記予測をすることを特徴とする付記１０又は付記１１に記載のコンテンツ配信方法。
【０１５３】
（付記１４）  前記予測は、端末の位置を示す位置情報と、地理情報と前記地理のそれぞれの位置におけるネットワークの空き帯域の情報とが対応付けられて記憶されている位置別空き帯域情報提供手段に記憶されている情報とを用いて、コンテンツを端末が受信できなくなる状況を予測することを特徴とする付記１０から付記１４のいずれかに記載のコンテンツ配信方法。
【０１５４】
（付記１５）  前記予測は、端末の位置を示す位置情報と、地理情報と前記地理のそれぞれの位置におけるネットワークの空き帯域の情報とが対応付けられて記憶されている全体位置別空き帯域情報提供手段に記憶されている情報から、前記端末の周辺のエリアに関わる情報が抽出されて記憶されている位置別空き帯域情報とを用いて、コンテンツを端末が受信できなくなる状況を予測することを特徴とする付記１０から付記１４のいずれかに記載のコンテンツ配信方法。
【０１５５】
（付記１６）  コンテンツを端末が受信できなくなる状況の予測に基づいて、前記端末が前記コンテンツを受信できなくなる前に、前記受信できなくなるコンテンツを予め配信する配信制御処理をコンピュータに実行させることを特徴とするコンテンツ配信プログラム。
【０１５６】
以上好ましい実施の形態をあげて本発明を説明したが、本発明は必ずしも上記実施の形態に限定されるものではなく、その技術的思想の範囲内において様々に変形し実施することが出来る。
【０１５７】
本出願は、２００９年３月２６日に出願された日本出願特願２００９−０７７３８３号を基礎とする優先権を主張し、その開示の全てをここに取り込む。
【産業上の利用可能性】
【０１５８】
本発明によれば、例えば、携帯電話端末向けのＩＰＴＶ（Ｉｎｔｅｒｎｅｔ  Ｐｒｏｔｏｃｏｌ  Ｔｅｌｅｖｉｓｉｏｎ）サービス等に適用できる。
【符号の説明】
【０１５９】
１  コンテンツ配信システム
１０  コンテンツ配信サーバ
１０１  位置別空き帯域情報提供部
１０２  予測部
１０３  配信制御部
１０４  端末位置情報取得部
１０５  端末位置・予測情報取得部
１０６  全体位置別空き帯域情報提供部
２０  移動体端末
２０１  端末位置情報提供部
２０２  デコーダ
２０３  端末位置情報取得部
２０４  予測部
２０５  位置別空き帯域情報提供部
２０６  端末位置・予測情報提供部
３０  通信路
３１  通信路
３２  通信路
５０  ＶｏＤサーバ
５０１  空き帯域−地図対応データベース
５０２  予測モジュール
５０３  映像ビットレート変動配信モジュール
５０４  端末位置情報取得モジュール
５０５  端末位置・予測情報取得モジュール
５０６  全体空き帯域−地図対応データベース
５１３  Ｈ．２６４／ＡＶＣファイル
６０  携帯電話端末
６０１  ＧＰＳ位置情報提供モジュール
６０２  Ｈ．２６４／ＡＶＣデコーダ
６０４  予測モジュール
６０５  空き帯域−地図対応データベース
６０６  端末位置・予測情報提供モジュール
７０  通信路
７１  通信路
７２  通信路
【図１】
2010110066.tif 000003
【図２】
2010110066.tif 000004
【図３】
2010110066.tif 000005
【図４】
2010110066.tif 000006
【図５】
2010110066.tif 000007
【図６】
2010110066.tif 000008
【図７】
2010110066.tif 000009
【図８】
2010110066.tif 000010
【図９】
2010110066.tif 000011
【図１０】
2010110066.tif 000012
【図１１】
2010110066.tif 000013
【手続補正書】
【提出日】平成23年9月22日(2011.9.22)
【手続補正１】
【補正対象書類名】特許請求の範囲
【補正対象項目名】全文
【補正方法】変更
【補正の内容】
【特許請求の範囲】
【請求項１】
コンテンツを端末が受信できなくなる状況を予測する予測手段と、
前記受信できなくなるコンテンツを予めエンコード・ビットレートを調整して伝送する配信制御手段とを備え、
前記予測手段による予測に基づいて前記端末が前記コンテンツを受信できなくなる前に、受信できなくなる期間の分のデータを確保することを特徴とするコンテンツ配信システム。
【請求項２】
前記配信制御手段は、配信するコンテンツのエンコード・ビットレートを、コンテンツが本来有するエンコード・ビットレートよりも低くして配信する手段であることを特徴とする請求項１に記載のコンテンツ配信システム。
【請求項３】
コンテンツを配信するコンテンツ配信サーバが、前記予測手段を有することを特徴とする請求項１又は請求項２に記載のコンテンツ配信システム。
【請求項４】
コンテンツを受信する端末が、前記予測手段を有することを特徴とする請求項１又は請求項２に記載のコンテンツ配信システム。
【請求項５】
地理情報と前記地理のそれぞれの位置におけるネットワークの空き帯域の情報とが対応付けられて記憶されている位置別空き帯域情報提供手段と、
端末の位置を示す位置情報を提供する端末位置情報提供手段とを更に有し、
前記予測手段は、前記提供された端末位置情報と前記位置別空き帯域情報提供手段に記憶されている情報とを用いて、コンテンツを端末が受信できなくなる状況を予測することを特徴とする請求項１から請求項４のいずれかに記載のコンテンツ配信システム。
【請求項６】
地理情報と前記地理のそれぞれの位置におけるネットワークの空き帯域の情報とが対応付けられて記憶されている全体位置別空き帯域情報提供手段と、
端末の位置を示す位置情報を提供する端末位置情報提供手段と、
前記全体位置別空き帯域情報提供手段から、前記端末周辺のエリアに関わる情報が抽出されて記憶されている位置別空き帯域情報とを更に有し、
前記予測手段は、前記提供された端末位置情報と前記位置別空き帯域情報提供手段に記憶されている情報とを用いて、コンテンツを端末が受信できなくなる状況を予測することを特徴とする請求項１から請求項４のいずれかに記載のコンテンツ配信システム。
【請求項７】
コンテンツを端末が受信できなくなる状況の予測に基づいて、前記受信できなくなるコンテンツを予めエンコード・ビットレートを調整して伝送する配信制御手段を有することを特徴とするコンテンツ配信サーバ。
【請求項８】
前記配信制御手段は、配信するコンテンツのエンコード・ビットレートを、コンテンツが本来有するエンコード・ビットレートよりも低くして配信する手段であることを特徴とする請求項７に記載のコンテンツ配信サーバ。
【請求項９】
地理情報と前記地理のそれぞれの位置におけるネットワークの空き帯域の情報とが対応付けられて記憶されている位置別空き帯域情報提供手段を更に備え、前記予測は、前記位置別空き帯域情報提供手段に記憶されている情報を用いて予測することを特徴とする請求項７又は請求項８に記載のコンテンツ配信サーバ。
【請求項１０】
コンテンツを端末が受信できなくなる状況の予測に基づいて、前記受信できなくなるコンテンツを予めエンコード・ビットレートを調整して伝送する配信制御ステップを有し、
前記予測に基づいて前記端末が前記コンテンツを受信できなくなる前に、受信できなくなる期間の分のデータを確保することを特徴とするコンテンツ配信方法。
【請求項１１】
前記配信制御ステップは、配信するコンテンツのエンコード・ビットレートを、コンテンツが本来有するエンコード・ビットレートよりも低くして配信するステップであることを特徴とする請求項１０に記載のコンテンツ配信方法。
【請求項１２】
コンテンツを配信するコンテンツ配信サーバが、前記予測をすることを特徴とする請求項１０又は請求項１１に記載のコンテンツ配信方法。
【請求項１３】
コンテンツを受信する端末が、前記予測をすることを特徴とする請求項１０又は請求項１１に記載のコンテンツ配信方法。
【請求項１４】
前記予測は、端末の位置を示す位置情報と、地理情報と前記地理のそれぞれの位置におけるネットワークの空き帯域の情報とが対応付けられて記憶されている位置別空き帯域情報提供手段に記憶されている情報とを用いて、コンテンツを端末が受信できなくなる状況を予測することを特徴とする請求項１０から請求項１４のいずれかに記載のコンテンツ配信方法。
【請求項１５】
前記予測は、端末の位置を示す位置情報と、地理情報と前記地理のそれぞれの位置におけるネットワークの空き帯域の情報とが対応付けられて記憶されている全体位置別空き帯域情報提供手段に記憶されている情報から、前記端末の周辺のエリアに関わる情報が抽出されて記憶されている位置別空き帯域情報とを用いて、コンテンツを端末が受信できなくなる状況を予測することを特徴とする請求項１０から請求項１４のいずれかに記載のコンテンツ配信方法。
【請求項１６】
コンテンツを端末が受信できなくなる状況の予測に基づいて、前記受信できなくなるコンテンツを予めエンコード・ビットレートを調整して伝送する配信制御処理をコンピュータに実行させることを特徴とするコンテンツ配信プログラム。
【手続補正２】
【補正対象書類名】明細書
【補正対象項目名】０００９
【補正方法】変更
【補正の内容】
【０００９】
上記課題を解決する本発明は、コンテンツを端末が受信できなくなる状況を予測する予測手段と、前記受信できなくなるコンテンツを予めエンコード・ビットレートを調整して伝送する配信制御手段とを備え、前記予測手段による予測に基づいて前記端末が前記コンテンツを受信できなくなる前に、受信できなくなる期間の分のデータを確保することを特徴とするコンテンツ配信システムである。
【手続補正３】
【補正対象書類名】明細書
【補正対象項目名】００１０
【補正方法】変更
【補正の内容】
【００１０】
上記課題を解決する本発明は、コンテンツを端末が受信できなくなる状況の予測に基づいて、前記受信できなくなるコンテンツを予めエンコード・ビットレートを調整して伝送する配信制御ステップを有し、前記予測に基づいて前記端末が前記コンテンツを受信できなくなる前に、受信できなくなる期間の分のデータを確保することを特徴とするコンテンツ配信方法である。
【手続補正４】
【補正対象書類名】明細書
【補正対象項目名】００１１
【補正方法】変更
【補正の内容】
【００１１】
上記課題を解決する本発明は、コンテンツを端末が受信できなくなる状況の予測に基づいて、前記受信できなくなるコンテンツを予めエンコード・ビットレートを調整して伝送する配信制御処理をコンピュータに実行させることを特徴とするコンテンツ配信プログラムである。
【国際調査報告】
2010110066.tif 000014
2010110066.tif 000015